(57)【特許請求の範囲】
【請求項１】
デジタル信号の提供を受け、前記デジタル信号に対応する階調信号を出力するソースドライバであって、
前記階調信号を提供する増幅器と；
前記増幅器が提供する前記階調信号を出力ノードに提供するか、又は遮断する第２駆動スイッチと；
ポンピングコンデンサを含み、前記ポンピングコンデンサに充電された電圧で前記出力ノードを第１駆動する第１駆動部とを含み、
前記出力ノードは前記第１駆動部によって第１駆動された後、前記増幅器によって前記階調信号に駆動され、
前記第１駆動部は、
ポンピング電圧を提供するポンピング電圧源と；
前記ポンピング電圧が充電されるポンピングコンデンサとを含み、
前記ポンピング電圧源が提供する前記ポンピング電圧と前記ポンピングコンデンサに充電されたポンピング電圧が加わり、前記出力ノードを第１駆動する
ことを特徴とするソースドライバ。
【請求項２】
前記第２駆動スイッチは、
前記出力ノードが第１駆動部によって第１駆動される間ターンオフされ、
前記第１駆動後、ターンオンされる
請求項１に記載のソースドライバ。
【請求項３】
前記第１駆動部が前記出力ノードを第１駆動する時間は、前記ソースドライバと前記出力ノードにつながれたピクセルとの電気的距離に相当する
請求項１に記載のソースドライバ。
【請求項４】
前記増幅器は、単位利得を有するバッファ増幅器である
請求項１に記載のソースドライバ。
【請求項５】
前記第１駆動部が前記出力ノードを第１駆動する時間は、前記出力ノードに提供された電圧と前記出力ノードに提供する階調信号の電圧差に相当する
請求項１に記載のソースドライバ。
【請求項６】
コンテンツをディスプレイするディスプレイ装置であって、
タイミングコントローラと；
ゲートドライバと；
ディスプレイパネルと；
デジタル信号の提供を受け、前記デジタル信号に対応する階調信号を出力するソースドライバとを含み、
前記ソースドライバは、
前記階調信号を提供する増幅器と；
前記増幅器が提供する前記階調信号を出力ノードに提供するか、又は遮断する第２駆動スイッチと；
前記増幅器の出力ノードを目的の電圧に第１駆動する第１駆動部とを含み、
前記出力ノードは前記第１駆動部によって第１駆動された後、前記増幅器によって前記階調電圧に駆動され、
前記第１駆動部は、
ポンピング電圧を提供するポンピング電圧源と；
前記ポンピング電圧が充電されるポンピングコンデンサとを含み、
前記ポンピング電圧源が提供する前記ポンピング電圧と前記ポンピングコンデンサに充電されたポンピング電圧が加わり、前記出力ノードを第１駆動する
ことを特徴とするディスプレイ装置。
【発明の詳細な説明】
【技術分野】
【０００１】
本発明は、高速充放電が可能なソースドライバに関するものである。
【背景技術】
【０００２】
携帯電話やタブレット等は、使用者に情報を表示するためのディスプレイユニットを具備している。ディスプレイユニットは、ディスプレイパネルと、ディスプレイパネルを駆動するためのソースドライバ（ｓｏｕｒｃｅ  ｄｒｉｖｅｒ）と、ゲートドライバ（ｇａｔｅ  ｄｒｉｖｅｒ）及びタイミングコントローラ（ｔｉｍｉｎｇ  ｃｏｎｔｒｏｌｌｅｒ）等の回路を含み、これらはシリコン基板のＣＭＯＳ回路として具現される。ソースドライバは、入力されたデジタルビットに対応する階調電圧を形成し、ディスプレイパネルに含まれているピクセルを駆動する。タイミングコントローラとソースドライバは、ディスプレイパネルの解像度と特性に応じて、別途のチップ（ｃｈｉｐ）として形成されるか、又は同一のチップとして形成されることができる。
【発明の概要】
【発明が解決しようとする課題】
【０００３】
動画等を視聴するときに生じる残像は、ディスプレイの画質を決定する要素の一つである。残像が長時間残る等の問題は、画素データの変化速度に比べてディスプレイ駆動部又はディスプレイ各画素の応答速度が遅い理由で発生する。将来のディスプレイ機器として注目される仮想現実（ＶＲ、Ｖｉｒｔｕａｌ  Ｒｅａｌｉｔｙ）用ディスプレイにおいて、使用者のめまい等を解消するためには、既存のディスプレイに比べてフレームレートを大幅に向上させる必要がある。このため、応答速度が速いディスプレイ駆動方式の開発が不可欠である。
【０００４】
既存ディスプレイ駆動ＩＣにおいて、ピクセルデータ駆動のために使用されるソースドライバチップの動作速度は、データ駆動用出力端バッファのスルーレート（ｓｌｅｗ  ｒａｔｅ）によって左右される。スルーレートを改善するためにバイアス電流を増やすことができるが、これはソースドライバチップの消費電力を増加させることになり、モバイル環境での使用に適していない。
【０００５】
本実施例は、従来技術によるソースドライバの欠点を解消するためのもので、消費電力を増加させずに、高速でピクセルを駆動することができるソースドライバ及びディスプレイ装置を提供することが本実施例の主な目的の一つである。
【課題を解決するための手段】
【０００６】
本実施例によるソースドライバは：階調信号を提供する増幅器（ａｍｐｌｉｆｉｅｒ）と、増幅器が提供する階調信号を出力ノードに提供するか、又は遮断する第２駆動スイッチと、及び第１電圧と一端がつながれ、出力ノードと他端がつながれた第１スイッチ及び第２電圧と一端がつながれ、出力ノードと他端がつながれた第２スイッチを含み、増幅器の出力ノードを第１駆動する第１駆動部（ｆｉｒｓｔ  ｄｒｉｖｉｎｇ  ｕｎｉｔ）を含み、出力ノードは、第１駆動部によって第１駆動された後、増幅器によって階調信号に第２駆動される。
【０００７】
本実施例によるソースドライバは：階調信号を提供する増幅器（ａｍｐｌｉｆｉｅｒ）と、増幅器が提供する階調信号を出力ノードに提供するか、又は遮断する第２駆動スイッチと、及びポンピングコンデンサを含み、ポンピングコンデンサに充電された電圧で出力ノードを第１駆動する第１駆動部（ｆｉｒｓｔ  ｄｒｉｖｉｎｇ  ｕｎｉｔ）を含み、出力ノードは第１駆動部によって第１駆動された後、増幅器によって階調信号に第２駆動される。
【０００８】
本実施例によるディスプレイ装置は：タイミングコントローラと、ゲートドライバと、ディスプレイパネル及びデジタル信号の提供を受け、デジタル信号に対応する階調信号を出力するソースドライバを含み、ソースドライバは：階調信号を提供する増幅器（ａｍｐｌｉｆｉｅｒ）と、増幅器が提供する階調信号を出力ノードに提供するか、又は遮断する第２駆動スイッチ及び増幅器の出力ノードを目的の電圧に第１駆動する第１駆動部（ｆｉｒｓｔ  ｄｒｉｖｉｎｇ  ｕｎｉｔ）を含み、出力ノードは第１駆動部によって第１駆動された後、増幅器によって階調電圧に第２駆動される。
【発明の効果】
【０００９】
本実施例によれば、限られたスルーレートを有する増幅器に出力ノードを駆動する場合に比べて、高速で出力ノードを駆動することができるため、速い速度でディスプレイパネルを駆動することができるという利点が提供される。
【図面の簡単な説明】
【００１０】
【図１】ディスプレイシステムを概要的に示した説明図
【図２】本実施例によるソースドライバ（ｓｏｕｒｃｅ  ｄｒｉｖｅｒ、１０）の概要を示したブロック図
【図３】本実施例のソースドライバの実施例を概要的に示した説明図
【図４】（ａ）（ｂ）出力ノード電圧の変化を概要的に示した説明図
【図５】本実施例による第１駆動部の他の例を示した説明図
【図６】（ａ）（ｂ）本実施例による第１駆動部の動作を示した説明図
【図７】（ａ）（ｂ）本実施例による第１駆動部の動作を示した説明図
【発明を実施するための形態】
【００１１】
以下では、添付された図面を参照して、本実施例によるソースドライバ及びディスプレイ装置を説明する。図１は、ディスプレイシステムを概要的に図示した図面である。図１を参照すると、本実施例によるディスプレイシステムは、ディスプレイパネル（ｄｉｓｐｌａｙ  ｐａｎｅｌ）、ゲートドライバ（ｇａｔｅ  ｄｒｉｖｅｒ）、ソースドライバ（ｓｏｕｒｃｅ  ｄｒｉｖｅｒ、１０ａ、１０ｂ、．．．，１０ｎ）を含み、ディスプレイシステムの解像度及び特性に応じて、外部から印加される画面ソースの特性を変化させたり、駆動時点を調節したりするタイミングコントローラ（ｔｉｍｉｎｇ  ｃｏｎｔｒｏｌｌｅｒ）を含む。ディスプレイパネルの特性に応じて、タイミングコントローラ（ｔｉｍｉｎｇ  ｃｏｎｔｒｏｌｌｅｒ）とソースドライバ（１０ａ、１０ｂ、．．．、１０ｎ）は、別のチップとして形成されることができ、例示された図面のようにタイミング制御部（ｔｉｍｉｎｇ  ｃｏｎｔｒｏｌｌｅｒ）とソースドライバ（１０ａ、１０ｂ、．．．、１０ｎ）は、ワンチップ（ｏｎｅ  ｃｈｉｐ）として具現されることができる。
【００１２】
ディスプレイパネルは、複数のピクセル（Ｐｉｘｅｌ）を含み、それぞれのピクセルはゲートドライバ（ｇａｔｅ  ｄｒｉｖｅｒ）とゲートライン（ｇｌ）を介してつながれ、ソースライン（ｓｌ）を介してソースドライバ（１０ａ、１０ｂ、…、１０ｎ）と電気的につながれる。ソースラインは、それぞれのピクセルが表示すべき階調信号をピクセルに伝達する。
【００１３】
ピクセルまでのソースライン（ｓｌ）は、導電性線路で構成され、導電性線路の抵抗成分、隣接線路間の寄生容量及び基準電極との寄生容量等、複数の寄生容量が存在する。このような負荷及びピクセル内の薄膜トランジスタ等のスイッチは、抵抗−コンデンサペア（ＲＣ  ｐａｉｒ）としてモデリングすることができる。すなわち、ソースドライバが駆動すべき負荷は、分散された抵抗−容量（ｄｉｓｔｒｉｂｕｔｅｄ  ＲＣ）形態の構成を有する。
【００１４】
以下では、ソースドライバとピクセルをつなぐソースラインの長さをソースドライバとピクセルの間の電気的距離とする。したがって、図１のソースドライバ（１０ａ）とピクセルＴ１の間の電気的距離は、ソースドライバ（１０ａ）とＴ２の間の電気的距離に比べて長い。また、ソースドライバ出力ノードを介して、ディスプレイパネルに含まれているピクセルに目的とする電圧を提供するために、ソースライン及びピクセルに電圧を提供することを、出力ノードを駆動すると表現する。
【００１５】
図２は、本実施例によるソースドライバ（ｓｏｕｒｃｅ  ｄｒｉｖｅｒ、１０）の概要を図示したブロック図である。図２を参照すると、ソースドライバ（１０）はシフトレジスタ（ｓｈｉｆｔ  ｒｅｇｉｓｔｅｒ）、データラッチ（ｄａｔａ  ｌａｔｃｈ）、サンプル／ホールドレジスタ（Ｓ／Ｈ  ｒｅｇｉｓｔｅｒ）、ゲート駆動回路（ｇａｔｅ  ｄｒｉｖｅｒ  ｃｉｒｃｕｉｔ）、デジタルアナログ変換器（ＤＡＣ）及び増幅器（ａｍｐｌｉｆｉｅｒ）を含む。一例として、増幅器（ａｍｐｌｉｆｉｅｒ）は単位利得を有するバッファ（ｂｕｆｆｅｒ）であることができる。
【００１６】
シフトレジスタ（ｓｈｉｆｔ  ｒｅｇｉｓｔｅｒ）は、入力されたスタートパルス（ＳＰ）を順次シフトして出力する。データラッチ（ｄａｔａ  ｌａｔｃｈ）は、画像データ（ｄａｔａ）をラッチアップ（ｌａｔｃｈ  ｕｐ）して提供し、サンプル／ホールドレジスタ（Ｓ／Ｈ  ｒｅｇｉｓｔｅｒ）は、ラッチアップされた画像信号をスタートパルス（ＳＰ）に基づいてサンプリングし、サンプリングされたデータをホールド（ｈｏｌｄ）してゲート駆動回路（ｇａｔｅ  ｄｒｉｖｅ  ｃｉｒｃｕｉｔ、１００）に提供する。
【００１７】
ゲート駆動回路（ｇａｔｅ  ｄｒｉｖｅｒ）は、デジタルビットの提供を受け、互いに異なる上限電圧と下限電圧の間でスイングする出力信号を提供する。デジタルアナログ変換器（ＤＡＣ）は、一例として、ガンマ電圧（ｇａｍｍａ  ｖｏｌｔａｇｅ）の提供を受け、ゲート駆動回路（ｇａｔｅ  ｄｒｉｖｅｒ）が提供した出力信号をアナログ信号に変換して提供し、単一利得バッファ（ａｍｐｌｉｆｉｅｒ）はアナログ信号を増幅してディスプレイパネルに提供し、入力されたデータ（ｄａｔａ）に相当する画像を表示する。他の例として、デジタルアナログ変換器（ＤＡＣ）は、上限電圧としてガンマ電圧の上限値に上限ヘッドルーム電圧（ｕｐｐｅｒ  ｈｅａｄｒｏｏｍ  ｖｏｌｔａｇｅ）が加算された電圧が提供され、下限電圧としてガンマ電圧の下限値から下限ヘッドルーム電圧（ｌｏｗｅｒ  ｈｅａｄｒｏｏｍ  ｖｏｌｔａｇｅ）を減算した電圧が提供される。
【００１８】
図３は、本実施例のソースドライバの実施例を概要的に図示した図面である。図３を参照すると、本実施例によるソースドライバ（１０）は、階調信号を提供する増幅器（１００）と、増幅器（１００）の出力を出力ノード（ｎ）に提供／遮断する第２駆動スイッチ（ＳＷｏ）と、出力ノード（ｎ）を目的とする電圧に第１駆動する第１駆動部（２００）を含む。一実施例として、第１駆動部（２００）は出力ノード（ｎ）を第１電圧（Ｖ１）にプルアップするプルアップスイッチ（ＳＷｕ）と、出力ノード（ｎ）を第２電圧（Ｖ２）にプルダウンするプルダウンスイッチ（ＳＷｄ）を含む。
【００１９】
プルアップスイッチ（ＳＷｕ）の一端は、第１電圧（Ｖ１）につながれ、他端は出力ノード（ｎ）に電気的につながれる。プルダウンスイッチ（ＳＷｄ）の一端は第２電圧（Ｖ２）につながれ、他端は出力ノード（ｎ）に電気的につながれる。したがって、プルアップスイッチ（ＳＷｕ）が閉じられると、出力ノード（ｎ）は第１電圧（Ｖ１）にプルアップされ、プルダウンスイッチ（ＳＷｄ）が閉じられると、出力ノード（ｎ）は第２電圧（Ｖ２）にプルダウンされる。
【００２０】
一実施例として、増幅器（１００）に入力で提供される階調信号の電圧（Ｖｉｎ）が最大Ｖｉｎｍａｘと最小Ｖｉｎｍｉｎの間の値を有する電圧とすると、増幅器（１００）に提供される駆動電圧のトップ電圧Ｖｔは階調電圧の最大値Ｖｉｎｍａｘより大きく、ボトム電圧Ｖｂは階調電圧の最小値Ｖｉｎｍｉｎより小さい。
【００２１】
第１駆動部（２００）に提供される第１電圧（Ｖ１）の電圧値は、階調電圧の最大値Ｖｉｎｍａｘより大きく、増幅器（１００）に提供される駆動電圧のトップ電圧であるＶｔの電圧値より大きくすることができる。また、第１駆動部（２００）に提供される第２電圧（Ｖ２）の電圧値は、階調電圧の最小値Ｖｉｎｍｉｎより小さく、増幅器（１００）に提供される駆動電圧のボトム電圧であるＶｂの電圧値より小さくすることができる。
【００２２】
プルアップスイッチ（ＳＷｕ）とプルダウンスイッチ（ＳＷｄ）及び第２駆動スイッチ（ＳＷｏ）は、電界効果トランジスタ（ＦＥＴ、Ｆｉｅｌｄ  Ｅｆｆｅｃｔ  Ｔｒａｎｓｉｓｔｏｒ）、バイポーラトランジスタ（ＢＪＴ）等の半導体スイッチとして具現することができる。
【００２３】
プルアップスイッチ（ＳＷｕ）とプルダウンスイッチ（ＳＷｄ）及び第２駆動スイッチ（ＳＷｏ）は、制御部（図示せず）によって制御される。一実施例として、制御部はソースドライバ内に位置し、スイッチを制御する信号を形成する。他の実施例として、制御部はタイミングコントローラ（図１、ｔｉｍｉｎｇ  ｃｏｎｔｒｏｌｌｅｒ参照）に位置し、ソースドライバに制御信号を提供する。
【００２４】
以下では、図３及び図４を参照して本実施例によるソースドライバの動作を説明する。ソースドライバがいずれか一つのピクセルを駆動した電圧がｖｎで、同一のソースラインにつながれて次に駆動されるピクセルを駆動するための電圧をｖｎ＋１とする。図４（ａ）を参照すると、第１駆動フェイズ（Ｐ１）で、出力ノード（ｎ）に提供された電圧（ｖｎ）に比べてソースドライバ（１０）が提供する階調信号の電圧（ｖｎ＋１）が大きい場合に、制御部は第２駆動スイッチ（ＳＷｏ）がターンオフされ、プルアップスイッチ（ＳＷｕ）がターンオンされるように制御する。出力ノード（ｎ）は、第１駆動部（２００）によって第１駆動されて第１電圧（Ｖ１）に駆動される。
【００２５】
第１駆動部（２００）に出力ノードを駆動すると、限られたスルーレート（ｓｌｅｗ  ｒａｔｅ）を有する増幅器に出力ノード（ｎ）を駆動する場合に比べて、より大きな電流が提供されるため、第１駆動部（２００）が出力ノード（ｎ）を駆動するときの出力ノード（ｎ）の電圧（実線）は、増幅器（１００）が出力ノード（ｎ）を駆動するときの電圧（点線）に比べて、急激に変化する。
【００２６】
第２駆動フェーズ（Ｐ２）で、制御部はプルアップスイッチ（ＳＷｕ）とプルダウンスイッチ（ＳＷｄ）がいずれもターンオフされ、第２駆動スイッチ（ＳＷｏ）がターンオンされるように制御し、増幅器（１００）が出力ノード（ｎ）を駆動するようにする。増幅器（１００）は、出力ノード（ｎ）が目的とする階調信号の電圧に達するように駆動し、ピクセルに目的とする階調信号に応じた電圧を提供する。
【００２７】
図４（ｂ）は、出力ノードに提供された電圧（ｖｎ）に比べて、ソースドライバが提供すべき階調信号の電圧（ｖｎ＋１）がより小さい場合の出力ノードでの電圧概形を示した図面である。第１駆動フェーズ（Ｐ１）で、出力ノード（ｎ）に提供された電圧（ｖｎ）に比べて、ソースドライバが提供すべき電圧（ｖｎ＋１）がさらに小さい場合に、制御部は第２駆動スイッチ（ＳＷｏ）がターンオフされ、プルダウンスイッチ（ＳＷｄ）がターンオンされるように制御する。
【００２８】
第２電圧（Ｖ２）を提供する電源が出力ノード（ｎ）を駆動すると、限られたスルーレートを有する増幅器（１００）が駆動する場合に比べて、より大きな電流が負荷に提供されるため、出力ノード（ｎ）の電圧は増幅器（１００）が出力ノード（ｎ）を駆動するときの電圧（点線）に比べて、急激に下降する。
【００２９】
第２駆動フェーズ（Ｐ２）で、制御部はプルダウンスイッチ（ＳＷｄ）がターンオフされ、第２駆動スイッチ（ＳＷｏ）がターンオンされるように制御する。駆動フェーズ（Ｐ２）で増幅器（１００）は出力ノード（ｎ）を駆動し、ピクセルに目的とする階調信号（ｖｎ＋１）を提供する。
【００３０】
一実施例において、ソースドライバとピクセルの間の電気的距離は、ディスプレイパネルでのピクセルの位置に応じて異なることができ、ソースドライバとピクセルの間の電気的距離が長くなるにつれ、ソースドライバでみられる抵抗と容量は増加する。ソースドライバとピクセルの間の電気的距離と無関係に第１駆動フェーズ（Ｐ１）区間の期間を定めると、ソースドライバと電気的距離が遠いピクセルは、出力ノードが十分に駆動されていない状態で、第２駆動フェーズ（Ｐ２）に転換されることがある。したがって、制御部はソースドライバとピクセルの間の電気的距離が長くなるほど、第１駆動フェーズ（Ｐ１）区間の時間を長くなるようにし、出力ノードを十分な電圧に充電するようにする。
【００３１】
また、制御部は、出力ノード（ｎ）で提供された電圧（ｖｎ）と次に提供される電圧（ｖｎ＋１−）の差が大きい場合でも、第１駆動フェーズ（Ｐ１）区間の時間を増やし、出力ノード（ｎ）を十分な電圧に充電することができ、逆に、出力ノード（ｎ）で提供された電圧（ｖｎ）と次に提供される電圧（ｖｎ＋１−）の差が小さい場合には、第１駆動フェーズ（Ｐ１）区間の時間を減少させることができる。限られたスルーレートを有する増幅器に出力ノードを駆動すると、電圧が上昇する上昇時間（ｒｉｓｅ  ｔｉｍｅ）及び下降時間（ｆａｌｌｉｎｇ  ｔｉｍｅ）が増幅器のスルーレートによって制限される。出力ノードが目的とする電圧に到逹するのに必要な時間を減少させるためには、増幅器（１００）のバイアス電流を増加させなければならないが、増幅器のバイアス電流を増加させると、すべてのチャンネルのバイアス電流が増加するため、消費電力が増加する。
【００３２】
しかし、本実施例によれば、プルアップスイッチ（ＳＷｕ）とプルダウンスイッチ（ＳＷｄ）のターンオン抵抗を小さく形成することにより、スルーレートによる制限を減らすことができ、高速で出力ノードを駆動することができるという利点が提供される。さらに、高速動作のためにバッファのバイアス電流を増加させなくてもよく、静的に消耗する電力を減少させることができるという利点も提供される。
【００３３】
図４（ａ）に例示された実施例において、第１駆動フェーズ（Ｐ１）で第１駆動部（２００）が出力ノード（ｎ）を駆動する電圧は、階調信号の電圧を超過しない。しかし、これは実施例に限られ、第１駆動フェーズ（Ｐ１）で第１駆動部（２００）は階調電圧を超過した電圧で出力ノード（ｎ）を駆動することができ、駆動フェーズ（Ｐ２）で増幅器（１００）が階調信号の電圧で出力ノード（ｎ）を駆動することによって減少し、階調信号の電圧に安定化（ｓｅｔｔｌｉｎｇ）することができる。
【００３４】
同様に、図４（ｂ）に図示された実施例において、第１駆動フェーズ（Ｐ１）で第１駆動部（２００）が出力ノードを駆動する電圧は、階調信号の電圧未満に減少しない。しかし、これは実施例に限られ、第１駆動フェーズ（Ｐ１）で出力ノード（ｎ）の電圧は階調電圧未満に形成されることができ、駆動フェーズ（Ｐ２）で増幅器が出力ノード（ｎ）を駆動することによって増加し、階調電圧に安定化（ｓｅｔｔｌｉｎｇ）することができる。
【００３５】
図５は、本実施例による第１駆動部（２００）の他の例を図示した図面である。図５を参照すると、第１駆動部（２００）は、第１充電電圧（Ｖｃｈ１）を提供又は遮断する第１充電スイッチ（ＳＷｃｈ１）と第２充電電圧（Ｖｃｈ２）を提供又は遮断する第２充電スイッチ（ＳＷｃｈ２）と、第１充電電圧（Ｖｃｈ１）が一端に提供され、第２充電電圧（Ｖｃｈ２）が他端に提供され、第１充電電圧（Ｖｃｈ１）と第２充電電圧（Ｖｃｈ２）の電位差に該当する電圧が充電されるポンピングコンデンサ（Ｃｐｕｍｐ）と、第１ポンピング電圧（Ｖｐ１）を提供するか、又は遮断する第１ポンピングスイッチ（ＳＷｐ１）と第２ポンピング電圧（Ｖｐ２）を提供するか、又は遮断する第２ポンピングスイッチ（ＳＷｐ２）と、ポンピングコンデンサ（Ｃｐｕｍｐ）の一端を出力ノード（ｎ）につなぐ第１連結スイッチ（ＳＷｃｏｎ１）及びポンピングコンデンサ（Ｃｐｕｍｐ）の他端を出力ノード（ｎ）につなぐ第２連結スイッチ（ＳＷｃｏｎ２）を含む。
【００３６】
一実施例として、第１充電電圧（Ｖｃｈ１）が第２充電電圧（Ｖｃｈ２）に比べて大きい（Ｖｃｈ１＞  Ｖｃｈ２）場合を想定し、本実施例による第１駆動部（２００）の動作を説明する。ただし、これは容易な説明と理解のためのもので、本発明の範囲はこれに限定されない。
【００３７】
以下では、図６（ａ）及び図６（ｂ）を参照して、出力ノードに提供された電圧（ｖｎ、図４（ａ）参照）に比べて高い階調信号の電圧（ｖｎ＋１、図４（ａ）参照）で出力ノード（ｎ）を駆動する場合を説明する。図６（ａ）を参照すると、制御部は第１充電スイッチ（ＳＷｃｈ１）と第２充電スイッチ（ＳＷｃｈ２）が閉じるように制御し、ポンピングコンデンサ（Ｃｐｕｍｐ）に第１ポンピング電圧（Ｖｐ１）と第２ポンピング電圧（Ｖｐ２）の差に相当する電圧（Ｖ）が充電されるようにする。一実施例として、ポンピングコンデンサ（Ｃｐｕｍｐ）を充電する過程は、ソースドライバがピクセルを駆動し、ピクセルに階調信号を提供する第２駆動フェーズ（Ｐ２）で実行される。
【００３８】
図６（ｂ）を参照すると、制御部は第１駆動フェーズ（Ｐ１）の間に第１充電スイッチ（ＳＷｃｈ１）及び第２充電スイッチ（ＳＷｃｈ２）が開くように制御し、第１駆動スイッチ（ＳＷｃｏｎ１）と第２ポンピングスイッチ（ＳＷｐ２）が閉じるように制御する。第１連結スイッチ（ＳＷｃｏｎ１）と第２ポンピングスイッチ（ＳＷｐ２）が閉じることによって、出力ノード（ｎ）はポンピングコンデンサ（Ｃｐｕｍｐ）に充電された電圧と第２ポンピング電圧（Ｖｐ２）を合わせた電圧（Ｖ＋Ｖｐ２）で駆動される。ポンピングコンデンサ（Ｃｐｕｍｐ）に充電された電荷が出力ノード（ｎ）を駆動するため、限られたスルーレートを有する増幅器（図３、１００参照）だけで出力ノードを駆動する場合に比べて、迅速に出力ノード（ｎ）の電圧を上昇させることができる。
【００３９】
第１駆動フェーズ（Ｐ１）が終了した後、第２駆動フェーズ（Ｐ２）で出力ノード（ｎ）は増幅器（１００）によって階調信号の電圧（ｖｎ＋１）で駆動され、制御部は図６（ａ）に図示したとおり、第１充電スイッチ（ＳＷｃｈ１）と第２充電スイッチ（ＳＷｃｈ２）が閉じるように制御し、ポンピングコンデンサ（Ｃｐｕｍｐ）を充電する。
【００４０】
以下では、図７（ａ）及び図７（ｂ）を参照して、出力ノードに提供された電圧（ｖｎ、図４（ｂ）参照）に比べて低い階調信号の電圧（ｖｎ＋１、図４（ｂ）参照）で出力ノード（ｎ）を駆動する場合を説明する。図７（ａ）を参照すると、制御部は第１充電スイッチ（ＳＷｃｈ１）と第２充電スイッチ（ＳＷｃｈ２）が閉じるように制御し、ポンピングコンデンサ（Ｃｐｕｍｐ）に第１充電電圧（Ｖｃｈ１）と第２充電電圧（Ｖｃｈ２）の差に相当する電圧（Ｖ）が充電されるようにする。
【００４１】
続いて、制御部は第１ポンピングスイッチ（ＳＷｐ１）と第２連結スイッチ（ＳＷｃｏｎ２）が閉じるように制御する。したがって、出力ノード（ｎ）はポンピングコンデンサ（Ｃｐｕｍｐ）に充電された電圧と第１ポンピング電圧（Ｖｐ１）を合わせた電圧（Ｖｐ１−Ｖ）で第１駆動される。
【００４２】
第１駆動が完了した後、第２駆動フェーズ（Ｐ２）で制御部は第２連結スイッチ（ＳＷｃｏｎ２）が開くように制御し、増幅器が出力ノードを階調信号の電圧で駆動するようにし、第１充電スイッチ（ＳＷｃｈ１）と第２充電スイッチ（ＳＷｃｈ２）が閉じるように制御して、ポンピングコンデンサ（Ｃｐｕｍｐ）を充電する。制御部は、第２駆動スイッチ（ＳＷｏ）が閉じるように制御し、増幅器（図３、１００参照）が階調信号に応じた電圧に出力ノードを制御するようにする。
【００４３】
本実施例によれば、第１駆動フェーズ（Ｐ１）でポンピングコンデンサ（Ｃｐｕｍｐ）に充電された電荷が出力ノード（ｎ）を駆動するため、増幅器（図３、１００参照）だけで出力ノードを駆動する場合に比べて、早く目的の電圧に到達することができる。
【００４４】
本実施例によれば、プリチャージフェーズ（Ｐ１）でポンピングコンデンサに充電された電圧を利用して出力ノードを駆動するため、スルーレートが限られた増幅器（１００）が出力ノードを駆動する場合に比べて、より大きな電流で出力ノードを駆動することができる。したがって、容量性負荷である導電性配線及びピクセルをさらに速く充電することができるため、高速動作が可能であるという利点が提供される。
【００４５】
本実施例によれば、ポンピングコンデンサを利用して出力ノードを駆動するため、第１駆動フェーズ（Ｐ１）でソースライン（ｓｌ）を駆動する電流の大きさを増加させることができる。さらに、充電電圧でポンピングコンデンサに電圧を充電した後、ポンピングコンデンサにポンピング電圧を印加して出力ノードを駆動するため、高電圧で出力ノードを駆動することができる。したがって、本実施例によれば、高電圧と高電流で出力ノードを駆動することができるという利点が提供される。
【００４６】
本発明に対する理解を助けるために、図面に図示された実施例を参照して説明したが、これは実施のための実施例で、例示的なものに過ぎず、当該分野で通常の知識を有する者であれば、これにより多様な変形及び均等な他の実施例が可能である。したがって、本発明の真正な技術的保護範囲は、添付した特許請求範囲に基づいて定められる。
【符号の説明】
【００４７】
１０ａ、１０ｂ、．．．，１０ｎ：ソースドライバ
ｓｌ：ソースライン
ｇｌ：ゲートライン
ｎ：出力ノード
１００：増幅器
２００：第１駆動部
ＳＷｕ：プルアップスイッチ
ＳＷｄ：プルダウンスイッチ
ＳＷｏ：第２駆動スイッチ
【図１】
0006450805.tif 000002
【図２】
0006450805.tif 000003
【図３】
0006450805.tif 000004
【図４】
0006450805.tif 000005
【図５】
0006450805.tif 000006
【図６】
0006450805.tif 000007
【図７】
0006450805.tif 000008